(57)【要約】【課題】ユーザの個人情報や購入履歴等の管理を低コストで実行することが容易な通信装置、情報記憶方法及び通信装置用プログラムを提供する。【解決手段】ユーザ端末１００及び店舗端末２００とローカルエリアネットワークにより接続される通信装置は、ユーザ端末１００からの接続要求を受信し、接続要求を受信したユーザ端末１００を識別する識別子を取得し、店舗端末２００から入力された店舗側情報を取得し、識別子と、店舗側情報とを対応付けて記憶する。【選択図】図１
2016212755.tif 000002
【特許請求の範囲】
【請求項１】
ユーザ端末及び店舗端末とローカルエリアネットワークにより接続される通信装置であって、
前記ユーザ端末からの接続要求を受信する接続要求受信手段と、
前記接続要求を受信したユーザ端末を識別する識別子を取得する識別子取得手段と、
前記店舗端末から入力された店舗側情報を取得する店舗側情報取得手段と、
前記識別子と、前記店舗側情報とを対応付けて記憶する記憶手段と、
を備えることを特徴とする通信装置。
【請求項２】
前記識別子取得手段は、前記店舗側情報に基づいて、前記識別子を特定し、
前記記憶手段は、前記特定した識別子と、前記店舗側情報とを対応付けて記憶する、ことを特徴とする請求項１に記載の通信装置。
【請求項３】
前記記憶した識別子のユーザ端末から再度接続要求を受信したか否かを判断する再接続要求受信手段と、
前記再度接続要求を受信したとき、前記店舗端末に前回記憶した店舗側情報を送信する店舗側情報送信手段と、
を備えることを特徴とする請求項１又は２に記載の通信装置。
【請求項４】
前記識別子取得手段が取得する識別子は、ＭＡＣアドレスである、ことを特徴とする請求項１乃至３のいずれか一項に記載の通信装置。
【請求項５】
ユーザ端末及び店舗端末とローカルエリアネットワークにより接続される通信装置が実行する情報記憶方法であって、
前記ユーザ端末からの接続要求を受信するステップと、
前記接続要求を受信したユーザ端末を識別する識別子を取得するステップと、
前記店舗端末から入力された店舗側情報を取得するステップと、
前記識別子と、前記店舗側情報とを対応付けて記憶するステップと、
を備えることを特徴とする情報記憶方法。
【請求項６】
ユーザ端末及び店舗端末とローカルエリアネットワークにより接続される通信装置に、
前記ユーザ端末からの接続要求を受信するステップ、
前記接続要求を受信したユーザ端末を識別する識別子を取得するステップ、
前記店舗端末から入力された店舗側情報を取得するステップ、
前記識別子と、前記店舗側情報とを対応付けて記憶するステップ、
を実行させることを特徴とする通信装置用プログラム。
【発明の詳細な説明】
【技術分野】
【０００１】
本発明は、ユーザ端末及び店舗端末とローカルエリア接続により通信を実行する通信装置、情報記憶方法及び通信装置用プログラムに関する。
【背景技術】
【０００２】
近年、スマートフォンやタブレット端末の普及によって、ユーザが外出先や店舗等の施設においてウェブを閲覧する機会が増えている。そのため、スマートフォンやタブレット端末において、施設等に設置された通信装置等のゲートウェイ装置を介して、ウェブを閲覧する機会が増加している。
【０００３】
このようなウェブ閲覧は、ユーザ端末からゲートウェイ装置へローカルエリアを介して接続し、ゲートウェイ装置がインターネットに接続することにより、ユーザ端末によりウェブを閲覧することができる。また、特許文献１において、ゲートウェイ装置に接続されたユーザ端末を識別することにより、自身の位置情報を利用して広告配信を実行することが開示されている。
【先行技術文献】
【特許文献】
【０００４】
【特許文献１】特開２０１３−９０１０７号公報
【発明の概要】
【発明が解決しようとする課題】
【０００５】
特許文献１によれば、位置情報と広告データとを対応付けて予め記憶している広告データ記憶部を備え、番組の配信先となる端末装置から、端末装置の位置情報を受信し、端末装置の位置情報に応じた広告データを広告データ記憶部から読み出し、番組中の時間又は番組と他の番組との間の時間で、読み出した広告データを端末装置へ配信することで、広告の配信効果を高めることができる。
【０００６】
しかしながら、特許文献１に記載の方法では、ゲートウェイ装置自体が、ユーザ端末に関する情報を記憶するのではなく、サーバに情報を記憶する必要がある。そのため、ゲートウェイ装置以外にもサーバの維持管理費が必要となり、コストが高騰してしまうおそれがある。
【０００７】
そこで、本発明は、ゲートウェイ装置そのものに各種情報を記憶させることにより、ユーザの個人情報や購入履歴等の管理を容易に行うことができる点に着目した。
【０００８】
本発明は、ユーザの個人情報や購入履歴等の管理を低コストで実行することが容易な通信装置、情報記憶方法及び通信装置用プログラムを提供することを目的とする。
【課題を解決するための手段】
【０００９】
本発明では、以下のような解決手段を提供する。
【００１０】
第１の特徴に係る発明は、ユーザ端末及び店舗端末とローカルエリアネットワークにより接続される通信装置であって、
前記ユーザ端末からの接続要求を受信する接続要求受信手段と、
前記接続要求を受信したユーザ端末を識別する識別子を取得する識別子取得手段と、
前記店舗端末から入力された店舗側情報を取得する店舗側情報取得手段と、
前記識別子と、前記店舗側情報とを対応付けて記憶する記憶手段と、
を備えることを特徴とする通信装置を提供する。
【００１１】
第１の特徴に係る発明によれば、ユーザ端末及び店舗端末とローカルエリアネットワークにより接続される通信装置は、前記ユーザ端末からの接続要求を受信し、前記接続要求を受信したユーザ端末を識別する識別子を取得し、前記店舗端末から入力された店舗側情報を取得し、前記識別子と、前記店舗側情報とを対応付けて記憶する。
【００１２】
ここで、第１の特徴に係る発明は、通信装置のカテゴリであるが、情報記憶方法又は通信装置用プログラム等の他のカテゴリにおいても、そのカテゴリに応じた同様の作用・効果を発揮する。
【００１３】
第２の特徴に係る発明は、前記識別子取得手段は、前記店舗側情報に基づいて、前記識別子を特定し、
前記記憶手段は、前記特定した識別子と、前記店舗側情報とを対応付けて記憶する、ことを特徴とする第１の特徴に係る発明である通信装置を提供する。
【００１４】
第２の特徴に係る発明によれば、第１の特徴に係る発明である通信装置は、前記店舗側情報に基づいて、前記識別子を特定し、前記特定した識別子と、前記店舗側情報とを対応付けて記憶する。
【００１５】
第３の特徴に係る発明は、前記記憶した識別子のユーザ端末から再度接続要求を受信したか否かを判断する再接続要求受信手段と、
前記再度接続要求を受信したとき、前記店舗端末に前回記憶した店舗側情報を送信する店舗側情報送信手段と、
を備えることを特徴とする第１又は第２の特徴に係る発明である通信装置を提供する。
【００１６】
第３の特徴に係る発明によれば、第１又は第２の特徴に係る発明である通信装置は、前記記憶した識別子のユーザ端末から再度接続要求を受信したか否かを判断し、前記再度接続要求を受信したとき、前記店舗端末に前回記憶した店舗側情報を送信する。
【００１７】
第４の特徴に係る発明は、前記識別子取得手段が取得する識別子は、ＭＡＣアドレスである、ことを特徴とする第１乃至第３のいずれかの特徴に係る発明である通信装置を提供する。
【００１８】
第４の特徴に係る発明によれば、第１乃至第３のいずれかの特徴に係る発明である通信装置は、前記識別子取得手段が取得する識別子は、ＭＡＣアドレスである。
【００１９】
第５の特徴に係る発明は、ユーザ端末及び店舗端末とローカルエリアネットワークにより接続される通信装置が実行する情報記憶方法であって、
前記ユーザ端末からの接続要求を受信するステップと、
前記接続要求を受信したユーザ端末を識別する識別子を取得するステップと、
前記店舗端末から入力された店舗側情報を取得するステップと、
前記識別子と、前記店舗側情報とを対応付けて記憶するステップと、
を備えることを特徴とする情報記憶方法を提供する。
【００２０】
第６の特徴に係る発明は、ユーザ端末及び店舗端末とローカルエリアネットワークにより接続される通信装置に、
前記ユーザ端末からの接続要求を受信するステップ、
前記接続要求を受信したユーザ端末を識別する識別子を取得するステップ、
前記店舗端末から入力された店舗側情報を取得するステップ、
前記識別子と、前記店舗側情報とを対応付けて記憶するステップ、
を実行させることを特徴とする通信装置用プログラムを提供する。
【発明の効果】
【００２１】
本発明によれば、ユーザの個人情報や購入履歴等の管理を低コストで実行することが容易な通信装置、情報記憶方法及び通信装置用プログラムを提供することが可能となる。
【図面の簡単な説明】
【００２２】
【図１】図１は、情報記憶システム１の概念図である。
【図２】図２は、情報記憶システム１の全体構成図である。
【図３】図３は、通信装置１０、ユーザ端末１００、店舗端末２００の機能ブロック図である。
【図４】図４は、通信装置１０、ユーザ端末１００、店舗端末２００が実行する情報記憶処理を示すフローチャートである。
【図５】図５は、通信装置１０、ユーザ端末１００、店舗端末２００が実行する情報送信処理を示すフローチャートである。
【図６】図６は、通信装置１０が記憶する購入履歴情報テーブルを示す図である。
【図７】図７は、店舗端末２００が表示する店舗側情報入力受付画面を示す図である。
【図８】図８は、店舗端末２００が表示する店舗側情報入力受付画面を示す図である。
【図９】図９は、店舗端末２００が表示する店舗側情報を示す図である。
【図１０】図１０は、通信装置１０が記憶する購入履歴情報テーブルを示す図である。
【発明を実施するための形態】
【００２３】
以下、本発明を実施するための最良の形態について図を参照しながら説明する。なお、これはあくまでも一例であって、本発明の技術的範囲はこれに限られるものではない。
【００２４】
［情報記憶システム１のシステム概要］
本発明の概要について図１に基づいて、説明する。ユーザ端末１００は、通信装置１０に接続要求を送信する。通信装置１０は、ユーザ端末１００から送信された接続要求に基づいて、ローカルエリアネットワークを構築する。ユーザ端末１００は、通信装置１０を介してインターネットに接続する。通信装置１０は、接続されたユーザ端末１００からＭＡＣアドレスを取得し、記憶する（ステップＳ０１）。
【００２５】
店舗端末２００は、店舗側情報の入力を受け付ける。店舗端末２００が入力を受け付ける店舗側情報とは、ユーザのアレルギー情報、年齢、性別といた個人情報やユーザの購入情報や来店日時等の店舗関連情報や、ユーザ端末の種類を示す端末種別情報である。
【００２６】
店舗端末２００は、入力を受け付けた店舗側情報を通信装置１０に送信する（ステップＳ０２）。通信装置１０は、店舗端末２００から送信された店舗側情報を記憶する。通信装置は、ユーザ端末１００のＭＡＣアドレスと、店舗側情報とを対応付けて記憶する。
【００２７】
ユーザ端末２００は、通信装置１０に接続要求を送信する。通信装置１０は、ユーザ端末１００から送信された接続要求に基づいて、ローカルエリアネットワークを構築する。ユーザ端末１００は、通信装置１０を介して、インターネットに接続する。通信装置１０は、接続されたユーザ端末１００からＭＡＣアドレスを取得する（ステップＳ０３）。
【００２８】
通信装置１０は、今回ユーザ端末１００から取得したＭＡＣアドレスに基づいて、自身が記憶するＭＡＣアドレスを検索する。通信装置１０は、今回取得したＭＡＣアドレスが、自身が記憶するＭＡＣアドレスではないと判断した場合、上述したステップＳ０１とＳ０２の処理を実行し、ユーザ端末１００のＭＡＣアドレスと店舗側情報とを対応付けて記憶する。一方、通信装置１０は、今回取得したＭＡＣアドレスが、自身が記憶するＭＡＣアドレスであると判断した場合、このＭＡＣアドレスに対応付けられた店舗側情報を、店舗端末２００に送信する。
【００２９】
店舗端末２００は、通信装置１０から送信された店舗側情報を受信し、表示する（ステップＳ０４）。店舗端末２００は、受信した店舗側情報を表示するとともに、新たに店舗側情報の入力を受け付ける。店舗端末２００は、今回入力を受け付けた店舗側情報を通信装置１０に送信する。
【００３０】
通信装置１０は、店舗端末２００から送信された店舗側情報を受信し、記憶する（ステップＳ０５）。通信装置１０は、今回受信した店舗側情報を記憶する。通信装置１０は、以前に記憶したＭＡＣアドレスと、以前に記憶した店舗側情報と、今回記憶した店舗側情報とを対応付けて記憶する。以上が本発明の概要である。
【００３１】
［情報記憶システム１のシステム構成］
図２は、本発明の好適な実施形態である情報記憶システム１のシステム構成図である。情報記憶システム１は、通信装置１０、ユーザ端末１００、店舗端末２００から構成される。
【００３２】
ユーザ端末１００は、通信装置１０と通信可能に接続されている。また、店舗端末２００は、通信装置１０と通信可能に接続されている。通信装置１０は、ユーザ端末１００と店舗端末２００とローカルエリアネットワークを構築し、公衆回線網と通信可能に接続されている。なお、ユーザ端末１００及び店舗端末２０と通信装置１０とは、近距離無線通信等を介して、直接通信可能に接続されていても良い。
【００３３】
ユーザ端末１００は、一般的な情報端末であって良く、後述する機能を備える情報機器や電化製品である。ユーザ端末１００は、例えば、携帯電話、スマートフォン、ネットブック端末、スレート端末、電子書籍端末、電子辞書端末、携帯音楽プレーヤ、携帯型コンテンツ再生・録画プレーヤ等の一般的な情報家電であって良い。
【００３４】
また、店舗端末２００は、一般的なＰＯＳ端末であって良く、上述した一般的な情報家電であって良い。
【００３５】
また、通信装置１０は、一般的なゲートウェイ装置であり、複数の端末とローカルエリアネットワークを構築する。複数の端末は、通信装置１０を介して公衆回線網と通信可能に接続される。
【００３６】
［各機能の説明］
図３は、通信装置１０、ユーザ端末１００及び店舗端末２００の機能ブロック図と各機能の関係を示す図である。
【００３７】
通信装置１０は、制御部１１としてＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部１２として、例えば、ＩＥＥＥ８０２．１１に準拠したＷｉＦｉ（Ｗｉｒｅｌｅｓｓ  Ｆｉｄｅｌｉｔｙ）対応デバイス又は、第３世代移動通信システム等のＩＭＴ−２０００規格に準拠した無線デバイス等を備える（有線によるＬＡＮ接続であってもよい）。通信装置１０は、ルータ装置、ハブ装置、ゲートウェイ装置であってよい。
【００３８】
また、通信装置１０は、記憶部１３として、ハードディスクや半導体メモリによる、データのストレージ部を備える。
【００３９】
通信装置１０において、制御部１１が所定のプログラムを読み込むことで、通信部１２と協働して、接続要求受信モジュール２０、識別子取得モジュール２１、店舗側情報受信モジュール２２、記憶済店舗側情報送信モジュール２３を実現する。また、通信装置１０において、制御部１１が所定のプログラムを読み込むことで、記憶部１３と協働して、識別子記憶モジュール３０、店舗側情報記憶モジュール３１、対応付記憶モジュール３２、識別子判断モジュール３３を実現する。
【００４０】
ユーザ端末１００は、制御部１１０として、ＣＰＵ、ＲＡＭ、ＲＯＭ等を備え、通信部１２０として、例えば、例えば、ＩＥＥＥ８０２．１１に準拠したＷｉＦｉ対応デバイス又は、第３世代移動通信システム等のＩＭＴ−２０００規格に準拠した無線デバイス等を備える（有線によるＬＡＮ接続であってもよい）。
【００４１】
また、ユーザ端末１００において、制御部１１０が所定のプログラムを読み込むことで、通信部１２０と協働して、接続要求送信モジュール１３０、識別子要求受信モジュール１３１、識別子送信モジュール１３２を実現する。
【００４２】
店舗端末２００は、制御部２１０として、ＣＰＵ、ＲＡＭ、ＲＯＭ等を備え、通信部２２０として、例えば、例えば、ＩＥＥＥ８０２．１１に準拠したＷｉＦｉ対応デバイス又は、第３世代移動通信システム等のＩＭＴ−２０００規格に準拠した無線デバイス等を備える（有線によるＬＡＮ接続であってもよい）。
【００４３】
また、店舗端末２００は、入出力部２００として、制御部１２０で制御したデータや画像を出力する表示部を備え、かつ、ユーザから入力を受け付けるタッチパネルやキーボード、マウス等を備える。
【００４４】
店舗端末２００において、制御部２１０が所定のプログラムを読み込むことで、通信部２２０と協働して、店舗側情報送信モジュール２４０、記憶済店舗側情報受信モジュール２４１を実現する。また、店舗端末２００において、制御部２１０が所定のプログラムを読み込むことで、入出力部２３０と協働して、店舗側情報入力受付モジュール２５０を実現する。
【００４５】
［情報記憶処理］
図４は、通信装置１０、ユーザ端末１００及び店舗端末２００が実行する情報記憶処理のフローチャートである。上述した各装置のモジュールが実行する処理について、本処理に併せて説明する。
【００４６】
はじめに、ユーザ端末１００を所持するユーザが、施設等の内部に移動する。ユーザ端末１００の接続要求送信モジュール１３０は、施設等の内部に移動することを契機として、通信装置１０に接続要求を送信する（ステップＳ１０）。
【００４７】
通信装置１０の接続要求受信モジュール２０は、ユーザ端末１００から送信された接続要求を受信する。通信装置１０の識別子取得モジュール２１は、接続要求を送信したユーザ端末１００の識別子として、ＭＡＣアドレスの取得要求を、ユーザ端末１００に送信する（ステップＳ１１）。識別子取得モジュール２１は、ＭＡＣアドレス以外の識別子として、電話番号や、製造番号等の端末を識別する固有の情報を取得しても良い。
【００４８】
ユーザ端末１００の識別子取得要求受信モジュール１３１は、通信装置１０から送信されたＭＡＣアドレス取得要求を受信する。ユーザ端末１００の識別子送信モジュール１３２は、受信したＭＡＣアドレス取得要求に基づいて、自身のＭＡＣアドレスを通信装置１０に送信する（ステップＳ１２）。
【００４９】
通信装置１０の識別子取得モジュール２１は、ユーザ端末１００から送信されたＭＡＣアドレスを受信することにより、ユーザ端末１００のＭＡＣアドレスを取得する。通信装置１０の識別子記憶モジュール３０は、受信したＭＡＣアドレスを記憶する（ステップＳ１３）。
【００５０】
次に、店舗端末２００の店舗側情報入力受付モジュール２５０は、入出力部２３０への店舗側情報の入力を受け付ける。店舗側情報入力受付モジュール２５０が受け付ける店舗側情報とは、上述した店舗側情報と同様である。店舗端末２００の店舗側情報入力受付モジュール２５０は、入出力部２３０への店舗側情報の入力を受け付けたか否かを判断する（ステップＳ１４）。
【００５１】
ステップＳ１４において、店舗側情報入力受付モジュール２５０は、入出力部２３０への店舗側情報の入力を受け付けていないと判断した場合（ステップＳ１４  ＮＯ）、本処理を終了する。一方、ステップＳ１４において、店舗側情報入力受付モジュール２５０は、入出力部２３０への店舗側情報の入力を受け付けたと判断した場合（ステップＳ１４  ＹＥＳ）、店舗端末２０の店舗側用法送信モジュール２４０は、店舗側情報入力受付モジュール２５０が受け付けた店舗側情報を通信装置１０に送信する（ステップＳ１５）。
【００５２】
ステップＳ１４において、店舗側情報入力受付モジュール２５０は、図７及び図８に示す店舗側情報の入力を受け付ける。図７は、店舗側情報入力受付モジュール２５０が受け付ける、ユーザ端末１００の製造元確認用通知である。また、図８は、店舗側情報入力受付モジュール２５０が受け付ける、顧客情報である。
【００５３】
図７において、店舗側情報入力受付モジュール２５０は、ユーザに対して、ユーザが所有するユーザ端末１００の製造元に関する情報を受け付ける。店舗側従業員は、ユーザに対して、所有するユーザ端末１００の製造元がＸ社製であるか否かを質問し、ユーザが「ＹＥＳ」との旨を返答した場合、「ＹＥＳ」を入力する。また、ユーザが「ＮＯ」との旨を返答した場合、「ＮＯ」を入力する。
【００５４】
また、図８において、店舗側情報入力受付モジュール２５０は、ユーザから申告された個人情報の入力を受け付ける。図８において、例えば、ユーザから「卵アレルギーがある」との申告を受けた場合、コメント欄に、その旨を入力する。
【００５５】
通信装置１０の店舗側情報受信モジュール２２は、店舗端末２００から送信された店舗側情報受信する。通信装置１０の店舗側情報記憶モジュール３１は、店舗端末２００から送信された店舗側情報を記憶する（ステップＳ１６）。
【００５６】
通信装置１０の対応付記憶モジュール３２は、識別子記憶モジュール３０が記憶したユーザ端末１００の識別子と、店舗側情報記憶モジュール３１が記憶した店舗側情報とを対応付けて記憶する（ステップＳ１７）。ステップＳ１７において、店舗側情報入力受付モジュール２５０が受け付けたユーザ端末１００の製造元に関する情報に基づいて、このユーザ端末１００のＭＡＣアドレスを特定する。この特定されたＭＡＣアドレスと、店舗側情報とを対応付けて図６に示す購入履歴情報テーブルとして記憶する。
【００５７】
図６は、対応付記憶モジュール３２が記憶する購入履歴情報テーブルを示す図である。図７において、ＭＡＣアドレス、タグ情報、購入情報、前回の来店日が対応付けられている。ＭＡＣアドレスは、ユーザ端末１００のＭＡＣアドレスである。タグ情報は、店舗側情報入力受付モジュール２５０が受け付けたユーザの個人情報である。購入情報は、店舗側情報入力受付モジュール２５０が受け付けたユーザの購入した商品名である。前回の来店日時は、ユーザが来店した日時である。なお、購入履歴情報テーブルは、他の情報や他のＭＡＣアドレスに関しても登録されていても良い。
【００５８】
以上が、情報記憶処理である。
【００５９】
［再接続時記憶処理］
図５は、通信装置１０、ユーザ端末１００及び店舗端末２００が実行する再接続時記憶処理のフローチャートである。上述した各装置のモジュールが実行する処理について、本処理に併せて説明する。
【００６０】
ユーザ端末１００の接続要求送信モジュール１３０は、ステップＳ１０と同様に通信装置１０に接続要求を送信する（ステップＳ２０）。
【００６１】
通信装置１０の接続要求受信モジュール２０は、ユーザ端末１００から送信された接続要求を受信する。通信装置１０の識別子取得モジュール２１は、ステップＳ１１と同様に、ＭＡＣアドレスの取得要求をユーザ端末１００に送信する（ステップＳ２１）。
【００６２】
ユーザ端末１００の識別子要求受信モジュール１３１は、通信装置１０から送信されたＭＡＣアドレス取得要求を受信する。ユーザ端末１００の識別子送信モジュール１３２は、ステップＳ１２と同様に、受信したＭＡＣアドレス取得要求に基づいて、自身のＭＡＣアドレスを通信装置１０に送信する（ステップＳ２２）。
【００６３】
通信装置１０の識別子取得モジュール２１は、ユーザ端末１００から送信されたＭＡＣアドレスを受信することにより、ユーザ端末１００のＭＡＣアドレスを取得する。通信装置１０の識別子判断モジュール３３は、今回受信したＭＡＣアドレスに基づいて、対応付記憶モジュール３２が記憶するＭＡＣアドレスを検索する。識別子判断モジュール３３は、今回受信したＭＡＣアドレスが、記憶しているＭＡＣアドレスであるか否かを判断することにより、今回接続要求を実行したユーザ端末１００が初めての接続であるか、再接続であるかを判断する（ステップＳ２３）。
【００６４】
ステップＳ２３において、識別子判断モジュール３３は、今回接続要求を実行したユーザ端末１００のＭＡＣアドレスが、記憶するＭＡＣアドレスではないと判断した場合（ステップＳ２３  ＮＯ）、上述したステップＳ１４以下の処理を実行する。一方、ステップＳ２３において、識別子判断モジュール３３は、今回接続要求を実行したユーザ端末１００のＭＡＣアドレスが、記憶するＭＡＣアドレスと同一であると判断した場合（ステップＳ２３  ＹＥＳ）、記憶済店舗側情報送信モジュール２３は、このＭＡＣアドレスに対応付けられた店舗側情報を店舗端末２００に送信する（ステップＳ２４）。
【００６５】
店舗端末１００の記憶済店舗側情報受信モジュール２４１は、通信装置１０から送信された店舗側情報を受信する。店舗端末１００の店舗側情報入力受付モジュール２５０は、通信装置１０から受信した店舗側情報を図９に示す店舗側情報通知画面として表示する（ステップＳ２５）。図９は、店舗側情報入力受付モジュール２５０が表示する店舗側情報を示す図である。図９において、上述したタグ情報、購入情報、来店日時を顧客情報として表示する。
【００６６】
店舗側情報入力受付モジュール２５０は、今回、入出力部２３０に入力された店舗側情報の入力を受け付けたか否かを判断する（ステップＳ２６）。ステップＳ２６において、店舗側情報入力受付モジュール２５０は、今回、入出力部２３０に店舗側情報の入力を受け付けていないと判断した場合（ステップＳ２６  ＮＯ）、本処理を終了する。一方、ステップＳ２６において、店舗側情報入力受付モジュール２５０は、今回、入出力部２３０に店舗側情報の入力を受け付けたと判断いた場合（ステップＳ２６  ＹＥＳ）、店舗端末２０の店舗側情報送信モジュール２４０は、今回入力を受け付けた店舗側情報を、通信装置１０に送信する（ステップＳ２７）。
【００６７】
通信装置１０の店舗側情報受信モジュール２２は、店舗端末２００が送信した店舗側情報を受信する。通信装置１０の店舗側情報記憶モジュール３１は、今回受信した店舗側情報を記憶する（ステップＳ２８）。
【００６８】
通信装置１０の対応付記憶モジュール３２は、以前に記憶したＭＡＣアドレスと、前回記憶した店舗側情報と、今回記憶した店舗側情報とを対応付けて図１０に示す購入履歴情報テーブルとして記憶する（ステップＳ２９）。以上が、再接続時記憶処理である。
【００６９】
上述した手段、機能は、コンピュータ（ＣＰＵ、情報処理装置、各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００７０】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００７１】
１  情報記憶システム、１０  通信装置、１００  ユーザ端末、２００  店舗端末
【図１】
2016212755.tif 000003
【図２】
2016212755.tif 000004
【図３】
2016212755.tif 000005
【図４】
2016212755.tif 000006
【図５】
2016212755.tif 000007
【図６】
2016212755.tif 000008
【図７】
2016212755.tif 000009
【図８】
2016212755.tif 000010
【図９】
2016212755.tif 000011
【図１０】
2016212755.tif 000012